(57)【要約】【課題】  遊技に関与する遊技情報を表示する表示装置を有する遊技機において、表示手段を合理的に構築するのに有効な技術を提供する。【解決手段】  遊技盤面１０３に表示装置１２０が設けられたパチンコ１０１において、液晶表示器１２１と、電子ペーパー１２３、電子ペーパー巻き取り部１２４、書き換えヘッド１２６を主体にして構成される電子ペーパー式表示器１２２とを用いて表示装置１２０を構成する。【選択図】      図３
2005152373.tif 000002
【特許請求の範囲】
【請求項１】
表示装置を有する遊技機であって、
前記表示装置は、遊技に関与する遊技情報を描き込み表示可能な電子ペーパー式表示手段と、前記電子ペーパー式表示手段において遊技情報を描き込む描き込み手段と、前記電子ペーパー式表示手段を駆動制御可能な駆動制御手段とを備えていることを特徴とする遊技機。
【発明の詳細な説明】
【技術分野】
【０００１】
本発明は、表示装置を有する遊技機の構成に関する技術である。
【背景技術】
【０００２】
従来、スロットマシンのような遊技機において、電子ペーパーを用いて表示を行う技術が公知である（例えば、特許文献１参照。）。この特許文献１に記載のスロットマシンでは、この遊技機の仕様に関する仕様情報を表示する表示部分（前面パネル）を電子ペーパーを用いて構成し、当該表示部分に表示されている仕様情報を、遊技機のリユース時やリサイクル時に新たな仕様情報に変更するように構成されている。
しかしながら、上記構成のスロットマシンは、遊技に関与しない仕様情報が電子ペーパーに表示され、リユース時やリサイクル時においてのみ当該仕様情報を低頻度で変更する構成になっており、電子ペーパーが本来有する特徴を遊技に関与する遊技情報を表示する技術に活かした有効的な利用形態になっていない。そこで、本発明者らは、遊技に関与する遊技情報の表示を電子ペーパーを有効的に用いて構築するべくこの種の技術について鋭意検討した。その検討の結果、本発明者らは、遊技機において、電子ペーパーの有効利用を図ることが可能な表示手段の合理的な構築技術を見出すことに成功した。
【特許文献１】特開２００３−１７５１５０号公報
【発明の開示】
【発明が解決しようとする課題】
【０００３】
本発明では、遊技に関与する遊技情報を表示する表示装置を有する遊技機において、表示手段を合理的に構築するのに有効な技術を提供することを課題とする。
【課題を解決するための手段】
【０００４】
前記課題を解決するために、本発明が構成される。本発明は、遊技に関与する遊技情報を表示する表示装置を、電子ペーパー式表示手段を用いて合理的に構築するという技術である。なお、本明細書でいう「遊技機」としては、パチンコ機、アレンジボール遊技機、スロットマシンなどが典型的なものである。
【０００５】
（請求項１に記載の発明）
請求項１に記載の遊技機は、少なくとも表示装置を備えている。
表示装置は、遊技に関与する遊技情報を表示する機能を有する装置であり、表示手段と当該表示手段における表示態様を制御する制御手段などによって構成される。本発明では、この表示装置が、電子ペーパー式表示手段、描き込み手段、駆動制御手段を少なくとも用いて構成される。必要に応じ、電子ペーパー式表示手段に加えて電子ペーパー式表示手段以外の表示器を表示装置に適宜組み込むこともできる。
電子ペーパー式表示手段は、遊技情報を描き込み表示可能な機能を有する表示手段であり、典型的には既知の電子ペーパーを用いて構成される表示媒体である。この電子ペーパーとしては、ツイスティングボール方式、マイクロカプセル型電気泳動方式、水平移動型電気泳動方式、電気析出溶解方式、光書き込み方式、可逆感熱方式、可逆感光方式、電子粉流体方式などが用いられる。このような電子ペーパーは、情報を描き込み表示可能であるという特徴や、柔軟性があるという特徴、また一旦描き込まれた情報を表示する際に表示状態を維持するための通電を必要としないという特徴を有する。本発明の「電子ペーパー式表示手段」には、電子ペーパーを用いた構成のみならず、電子ペーパーと同様の特徴を有する表示媒体をも含まれる。
描き込み手段は、電子ペーパー式表示手段において表示の遊技情報を描き込む機能を有する手段である。この描き込み手段は、描き込みがなされていない、あるいは一旦描き込まれた遊技情報が消去された電子ペーパー式表示手段において新たな遊技情報を描き込む場合や、既に描き込みがなされている電子ペーパー式表示手段において当該描き込まれている遊技情報に別の遊技情報を描き加える（描き足す）場合などに用いられる。典型的には、電子ペーパーに当接することによって遊技情報を描き込む描き込み用ヘッド（ラインヘッド、信号入力式ヘッドなど）を用いて描き込み手段を構成する。
駆動制御手段は、電子ペーパー式表示手段を機械的に駆動制御可能な機能を有する手段である。駆動制御手段を介して電子ペーパー式表示手段が機械的に駆動されることによって、遊技情報が表示された表示部の位置を変更することが可能となる。なお、この駆動制御手段による電子ペーパー式表示手段の「駆動」に関しては、電子ペーパー式表示手段自体を巻き取りないし巻き出す動作、ドラム状ないしベルト状に形成された電子ペーパー式表示手段を回転させる動作、電子ペーパー式表示手段自体をスライドさせる動作などが含まれる。
【０００６】
請求項１に記載の発明のこのような構成によれば、電子ペーパー式表示手段を用いて遊技に関与する遊技情報を高頻度で表示させることができるため、情報を描き込み表示可能であるという電子ペーパー式表示手段の特徴が有効に利用されることとなる。
また、通常、機械的に動作する構成の表示手段においては表示可能な情報量は、表示領域（表示媒体）の大きさに依存するため、情報量を増やそうとすると表示手段が大型化することになるが、本発明のように情報を描き込み表示可能な電子ペーパー式表示手段を用いることによって、表示可能な情報量が表示領域の大きさに依存することがなく、表示領域を無限大に使用することが可能となる。
また、本発明のように駆動制御手段を介して機械的に動作する構成の電子ペーパー式表示手段を用いることによって、例えば液晶表示器のように表示器自体が機械的に動作しないような表示手段とは異なり、遊技者に対し別な魅力が付与されることとなる。
また、本発明によれば、電子ペーパー式表示手段に一旦描き込みを行ったあとは、次に描き込みを行うまで通電することなく表示状態を維持することが可能となるため、表示中は常に通電が必要となる液晶表示器のような電気式の表示器に比して省電力となる。また、配線の取り回しが複雑化するのを抑えることが可能となる。
【０００７】
なお、本発明の表示装置の典型的な構成としては、電子ペーパー式表示手段と、当該電子ペーパー式表示手段とは異なる表示手段を組み合わせた複合型の装置とするのが好ましい。具体例としては、電子ペーパー式表示手段と液晶型の表示器やＥＬ型の表示器とを組み合わせて複合型の表示装置を構成することができる。このとき、電子ペーパー式表示手段や別の表示手段の設置数は、必要に応じて適宜変更可能である。
【発明の目的及び効果】
【０００８】
以上のように、「遊技に関与する遊技情報を表示する表示装置を有する遊技機において、表示手段を合理的に構築するのに有効な技術を提供する。」という目的に対し、
本発明によれば、「遊技情報を描き込み表示可能な電子ペーパー式表示手段を用いて表示装置を構築し、しかも電子ペーパー式表示手段を駆動させて表示内容を切り替えるように構成したため、電子ペーパー式表示手段が本来有する特徴を遊技機において有効に用いることが可能とされる。」という効果を奏することとなる。
【発明を実施するための最良の形態】
【０００９】
以下に、本発明の「遊技機」の一実施の形態であるパチンコ機につき図面を参照しつつ詳細に説明する。本明細書では、パチンコ機に装着される表示装置の構成が異なる「第１実施の形態」および「第２実施の形態」について説明する。
まず、図１〜図４に基づいて、本発明における遊技機の第１実施の形態であるパチンコ機１０１の構成を説明する。ここで、図１は本発明の第１実施の形態のパチンコ機１０１の遊技盤１０３の全体構成を示す図である。図２は図１中の表示装置１２０の正面図であり、図３は図２中のＡ−Ａ線断面矢視図である。図４はパチンコ機１０１の電装システムを示す図である。
【００１０】
（第１実施の形態）
図１に示すパチンコ機１０１は、いわゆる「第１種パチンコ機」と呼称される機種のパチンコ機である。このパチンコ機１０１の遊技盤１０３の表面に形成された遊技領域１０５には、第１種始動口１１０、表示装置１２０、大入賞口（図示省略）を開閉する開閉部材１１２、通過口１１３、風車１１４、各種の一般入賞口１１５、多数の遊技釘１１６等が配置されている。表示装置１２０は、第１種始動口１１０に遊技球（パチンコ球）が入賞し、第１種始動口１１０に入賞した遊技球（パチンコ球）が始動口センサ１４０によって検出されると、所定数の賞球が付与されるとともに、大当たりに関与する図柄や文字、背景等の変動を開始する。大当たりの場合は、表示装置１２０が大当たり図柄の配列を表示するとともに、開閉部材１１２が開閉動作される大当たり遊技状態となる。開閉部材１１２は、ソレノイド１６０によって開閉制御される。開閉部材１１２が開放された状態で大入賞口に入賞した遊技球は、大入賞口センサ１４４によって検出され。通過口１１３は、通過口センサ１４２を備え、当該通過口１１３に遊技球が通過したことが通過口センサ１４２によって検出される。風車１１４は、遊技球の流下経路を、例えば風車１１４の右側ないし左側へと変える機能を有する。一般入賞口１１５は、一般入賞口センサ１４６を備え、当該一般入賞口１１５に入賞した遊技球が一般入賞口センサ１４６によって検出されると、入賞した遊技球の個数にしたがって賞球を付与する。遊技釘１１６は、遊技球の流下態様（流下方向、流下時間等）に影響を与える釘であり、遊技盤１０３面の必要箇所に多数配置されている。
【００１１】
ここで、本実施の形態の表示装置１２０の構成を、図２及び図３を参照しながら詳細に説明する。図２及び図３に示すように、表示装置１２０は、液晶表示方式の液晶表示器（ＬＣＤ）１２１と、電子ペーパー表示器１２２とが組み合わせられた複合型（ハイブリッド型）の表示手段を構成している。この表示装置１２０が、本発明における「表示装置」に対応している。
本実施の形態では、液晶表示器１２１の上方に電子ペーパー表示器１２２が配置されている。この電子ペーパー表示器１２２は、電子ペーパー１２３、電子ペーパー巻き取り部１２４、描き替えヘッド１２６を主体にして構成されている。
【００１２】
電子ペーパー１２３は、いわゆる「電子ペーパー」と称呼される既知の構成の表示手段であり、柔軟性を有する薄板状であるとともに、表示している情報を新たな情報に描き替えて表示可能な表示手段である。また、この電子ペーパー１２３は、情報の表示に必要な電力が、情報の描き替え時にのみ必要とされる表示手段である。この電子ペーパー１２３のペーパー面に表示されている古い遊技情報が、描き替えヘッド１２６を介して新たな遊技情報に描き替えられる（更新される）構成になっている。なお、描き込みがなされていない電子ペーパー１２３において表示情報を描き替える態様は、換言すれば、電子ペーパー１２３において遊技情報を「描き込む」との態様に相当する。すなわち、電子ペーパー１２３が本発明における「遊技に関与する遊技情報を描き込み表示可能な電子ペーパー式表示手段」、後述する態様１における「遊技に関与する遊技情報を描き替え表示可能な電子ペーパー式表示手段」に対応しており、描き替えヘッド１２６が本発明における「描き込み手段」、後述する態様１における「描き替え手段」に対応している。
【００１３】
電子ペーパー巻き取り部１２４は、後述するモータ１６１によって駆動されて電子ペーパー１２３の巻き出し及び巻き取りが可能な機能を有する手段である。すなわち、本実施の形態では、電子ペーパー１２３が、電子ペーパー巻き取り部１２４を介して機械的に駆動（可動）される構成になっている。この電子ペーパー巻き取り部１２４が、本発明における「駆動制御手段」や、後述する態様１における「巻き取り手段」を構成する。
【００１４】
電子ペーパー巻き取り部１２４から巻き出された電子ペーパー１２３は、スリット１２７を通じて電子ペーパーガイド１２８のガイド空間１２８ａへと誘導される構成になっている。この電子ペーパー１２３が最大に巻き出された状態では、当該電子ペーパー１２３が液晶表示器１２１の前面側（図３中の左側）をカーテン状（すだれ状）に遮へいするように配置される。電子ペーパーガイド１２８は、少なくともその前面側が透明材料によって構成されており、描き替えヘッド１２６を介して表示情報が描き替えられた電子ペーパー１２３が液晶表示器１２１の前面側（遊技者側）に配置されると、遊技者は当該電子ペーパー１２３に表示された表示情報を視認することとなる。この状態が、電子ペーパー１２３の「表示状態」となる。このとき、一旦表示状態に設定された電子ペーパー１２３は、当該表示を維持するのに通電を要さない。
反対に、電子ペーパー１２３が電子ペーパー巻き取り部１２４によって最大に巻き取られた状態では、当該電子ペーパー１２３による液晶表示器１２１の遮へいが解除される。このとき、遊技者は液晶表示器１２１に表示された表示情報を視認することとなる。この状態が、電子ペーパー１２３の「待機状態」となる。
【００１５】
次に、本実施の形態に係るパチンコ機１０１の電装システムを図４を参照しながら説明する。
図４に示すように、本実施の形態に係るパチンコ機１０１は、概略的に見て、ＡＣ電源に接続された電源装置１３０に中継基板１３２を介して接続された主制御装置１５０、および副制御装置１５２を主体として構成される。主制御装置１５０内には、特に図示しないもののＣＰＵ（中央演算処理装置）、メモリ、入力処理回路および出力処理回路が適宜設定されている。さらに主制御装置１５０には、始動口センサ１４０、通過口センサ１４２、大入賞口センサ１４４、一般入賞口センサ１４６が接続され、これら各センサ１４０，１４２，１４４，１４６からの検出信号が適宜入力される。主制御装置１５０には、ソレノイド１６０、モータ１６１、賞球制御部１６５が接続され、また、副制御装置１５２を介して表示制御部１６２、音制御部１６３、ランプ制御部１６４がそれぞれ接続されている。
【００１６】
モータ１６１には、前記の電子ペーパー巻き取り部１２４が連結されており、モータ１６１によって電子ペーパー巻き取り部１２４の動作、すなわち電子ペーパー１２３の巻き出し動作及び巻き取り動作が制御される。表示制御部１６２には、前記の液晶表示器１２１及び描き替えヘッド１２６が接続されており、表示制御部１６２を介して伝達される制御信号にしたがって液晶表示器１２１における表示内容の制御、及び描き替えヘッド１２６による電子ペーパー１２３の描き替え内容の制御が行われる。音制御部１６３には、スピーカー類が接続されており、音制御部１６３を介して伝達される制御信号にしたがってスピーカー類における音声出力状態が制御される。ランプ制御部１６４には、各種のランプ類が接続されており、ランプ制御部１６４を介して伝達される制御信号にしたがってランプ類の点灯、点滅状態が制御される。賞球制御部１６５には、賞球の払出しを実行する賞球装置１６６が接続されており、主制御装置１６０から適宜賞球制御信号を受けて、賞球装置１６６における賞球の払い出し制御を適宜行う。さらに主制御装置１６０は、パチンコ機１０１を設置した遊技ホールに設けられたホールコンピュータ１７０に接続され、例えば大当たりの回数等といった遊技に関する営業情報を適宜出力する。
【００１７】
次に、本実施の形態に係る上記構成のパチンコ機１０１の作用を、図１〜図３を参照しながら説明する。ここでは、特に表示装置１２０の作用について説明する。
図１に示すパチンコ機１０１において、発射ハンドル装置（図示省略）によって遊技盤１０３表面の遊技領域１０５に射出された遊技球は、遊技釘によって流下態様を変えつつ遊技領域１０５を流下していく。遊技球が第１種始動口１１０に始動入賞し、当該遊技球が始動口センサ１４０によって検出されると大当たりに関する抽選が行われ、当該抽選結果に基づき液晶表示器１２１において大当たりに関与する図柄や文字、背景など（以下、「図柄等」という）の変動を開始する。大当たりの場合は、液晶表示器１２１に大当たり図柄配列、典型的には同じ図柄が３つ揃って表示されるとともに、開閉部材１１２が開閉動作される大当たり遊技状態となる。反対に、はずれの場合には、液晶表示器１２１にはずれ図柄配列が表示される。このように、液晶表示器１２１は、少なくとも大当たりやはずれの結果を表示し、更に大当たりやはずれに至る過程の情報及び大当たりやはずれの結果以外の情報をもあわせて表示するメインの表示器であり、後述する態様５及び態様６における「第２の表示器」に対応している。
【００１８】
本実施の形態では、液晶表示器１２１が図柄等の変動を開始するまでの通常時には、電子ペーパー表示器１２２の電子ペーパー１２３が電子ペーパー巻き取り部１２４によって巻き取られた「待機状態」に設定される。そして、始動入賞によって液晶表示器１２１に図柄等の変動が開始され当該変動が停止するまでの間において、前述の抽選結果に基づき電子ペーパー１２３を用いた表示を行うと判定されると、電子ペーパー巻き取り部１２４が巻き出し方向に駆動制御される。そして、描き替えヘッド１２６を介して遊技に関与する遊技情報が描き替えられた電子ペーパー１２３が、電子ペーパー巻き取り部１２４から巻き出された「表示状態」に設定される。
なお、描き替えヘッド１２６が電子ペーパー１２３において表示情報を描き替えるタイミングとしては、電子ペーパー１２３が「待機状態」のときや、電子ペーパー１２３が「待機状態」から「表示状態」へと移行している過程などがある。
【００１９】
電子ペーパー表示器１２２の電子ペーパー１２３における表示態様の具体例として、大当たりとなる可能性が高まったことが遊技者に報知される「リーチ状態」が形成される際に、電子ペーパー１２３が「表示状態」に設定される。このときに電子ペーパー１２３に表示される表示情報としては、大当たりの可能性を示す数値情報、大当たりの可能性が高まったことを示唆する図柄など、遊技に関与する遊技情報のうち、大当たりやはずれに至る過程の情報を用いることができる。従って、「表示状態」に設定された電子ペーパー１２３に表示されているこのような表示情報を認識した遊技者は、大当たりに対する期待感が高まる。
【００２０】
本実施の形態では、更に、大当たり発生後に遊技者に付与される「大当たり遊技」において行われる複数のラウンド（典型的には１６回のラウンド）の合間に、電子ペーパー１２３が「表示状態」に設定されるようになっている。
具体的には、各ラウンドの開始前に電子ペーパー表示器１２２の電子ペーパー巻き取り部１２４から電子ペーパー１２３が巻き出され、巻き出されるたびに電子ペーパー１２３の遊技に関与する遊技情報が描き替えられる。このときに電子ペーパー１２３に表示される表示情報としては、通常時において液晶表示器１２１に表示される図柄等とは異なり、大当たり遊技中においてのみ表示される図柄等を用いることができる。すなわち、電子ペーパー１２３には、遊技に関与する遊技情報のうち、大当たりやはずれの結果以外の情報が表示されることとなる。従って、このような表示情報を、各ラウンド毎に切り換えて電子ペーパー１２３に表示させることによって、大当たり遊技が単調になるのを防止することが可能となる。
このように、本実施の形態では、大当たりやはずれに至る過程の情報や、大当たりやはずれの結果以外の情報を表示する電子ペーパー表示器１２２は、少なくとも大当たりやはずれの結果を表示するメインの表示器としての液晶表示器１２１に対し、補助的な表示器（サブの表示器）として使用されるようになっている。
【００２１】
以上のように、第１実施の形態によれば、電子ペーパー１２３の有効利用が可能とされる表示装置の合理的な構築技術が実現されることとなる。特に、本実施の形態の電子ペーパー１２３は、遊技に関与する情報を高頻度で表示させる構成であるため、情報を描き替え可能であるという電子ペーパー１２３の特徴が有効に利用されることとなる。
また、通常、機械的に動作する構成の表示手段においては表示可能な情報量は、表示領域（表示媒体）の大きさに依存するため、情報量を増やそうとすると表示手段が大型化することになる。そこで、本実施の形態のように、機械的に動作する構成の表示手段を、遊技情報を描き替え可能な電子ペーパー１２３を用いて構成したのである。このような構成により、遊技情報を描き替えることによって、表示可能な情報量が表示領域の大きさに依存することがなく、表示領域を無限大に使用することが可能となる。
また、本実施の形態の電子ペーパー１２３のように機械的に動作する構成の表示手段は、液晶表示器１２１のように表示器自体が動作しないような表示手段とは異なり、遊技者に対し別な魅力が付与されることとなる。
また、本実施の形態によれば、柔軟性を有する電子ペーパー１２３を巻き取り式とし、待機状態では電子ペーパー巻き取り部１２４に巻き取って収納するようにしたため、表示手段のコンパクト化を図るのに有効である。このようなコンパクト化された表示手段は、液晶表示器１２１のような表示手段と組み合わせて複合型の表示装置を構築する場合に、全体の大きさを抑えるのに有効である。特に、電子ペーパー１２３における表示領域と液晶表示器１２１における表示領域とが重なり合う構成であるため、表示に用いる表示領域全体の大きさが低減されることとなる。また、電子ペーパー１２３による表示が必要なときにのみ電子ペーパー１２３を電子ペーパー巻き取り部１２４から巻き出す構成であるため合理的である。
また、本実施の形態によれば、電子ペーパー１２３に一旦描き替えを行ったあとは、次に描き替えを行うまで通電することなく表示状態を維持することが可能となるため、表示中は常に通電が必要となる液晶表示器１２１のような電気式の表示器に比して省電力となる。また、配線の取り回しが複雑化するのを抑えることが可能となる。
【００２２】
（第２実施の形態）
次に、第２実施の形態のパチンコ機について説明する。この第２実施の形態のパチンコ機は、表示装置の構成が異なる以外は、前記の第１実施の形態のパチンコ機１０１と同様の構成であるため、ここでは図５〜図７を用いて表示装置についてのみ説明するものとする。図５は第２実施の形態の表示装置２２０の正面図である。図６は図５中のＢ−Ｂ線断面矢視図であって、電子ペーパー表示器２２２がドラム式である場合の構成を示す。図７は図５中のＢ−Ｂ線断面矢視図であって、電子ペーパー表示器２２２がベルト式である場合の構成を示す。なお、図５〜図７において、図２及び図３に示す構成要素と同一の構成要素には同一の符号を付すものとし、当該同一の構成要素についての詳細な説明は省略する。
【００２３】
図５及び図６に示すように、表示装置２２０は、液晶表示器（ＬＣＤ）１２１に加え、更に電子ペーパー表示器２２２を備えている。
電子ペーパー表示器２２２は、電子ペーパー式回転ドラム２２３、描き替えヘッド１２６を主体にして構成されている。電子ペーパー式回転ドラム２２３は、電子ペーパー１２３がドラム外周に配置された構成を有し、モータなどの駆動手段（図示省略）によって回転駆動されるようになっている。すなわち、本実施の形態では、電子ペーパー１２３が、電子ペーパー式回転ドラム２２３を介して機械的に駆動（可動）される構成になっている。この電子ペーパー式回転ドラム２２３が、本発明における「駆動制御手段」や、後述する態様２における「回転ドラム」に相当する。
【００２４】
電子ペーパー１２３には、電子ペーパー式回転ドラム２２３が回転動作する前に、あるいは電子ペーパー式回転ドラム２２３の回転動作中に遊技情報が描き替えられて、電子ペーパー表示器２２２の前面側（遊技者側）に表示されることとなる。この状態が、電子ペーパー１２３の「表示状態」となる。このとき、一旦表示状態に設定された電子ペーパー１２３は、当該表示を維持するのに通電を要さない。
一方、電子ペーパー１２３のうち表示情報が描き込まれていない部位を、電子ペーパー表示器２２２の前面側（遊技者側）に配置することによって、電子ペーパー１２３による表示状態が解除される。この状態が、電子ペーパー１２３の「待機状態」となる。
このような構成の電子ペーパー式回転ドラム２２３を用いた表示の切り替えは、第１実施の形態と同様に、「リーチ状態」や「大当たり遊技」のタイミングにおいて行うことができる。
【００２５】
次に、第２実施の形態の表示装置２２０の構成に関し、電子ペーパー表示器２２２の異なる形態を図７を参照しながら説明する。
図７に示す表示装置２２０では、電子ペーパー表示器２２２が、電子ペーパー式ベルト２２４、描き替えヘッド１２６を主体にして構成されている。電子ペーパー式ベルト２２４は、無端ベルト状の電子ペーパー１２３が２つのベルト駆動体２２５の外周に掛け渡されて配置される構成を有し、ベルト駆動体２２５がモータなどの駆動手段（図示省略）によって駆動されるようになっている。すなわち、本実施の形態では、電子ペーパー１２３がベルト駆動体２２５を介して機械的に駆動（可動）される構成になっている。このベルト駆動体２２５が、本発明における「駆動制御手段」や、後述する態様３における「ベルト駆動体」に相当する。なお、ベルト駆動体２２５の設置数として２つ以上の数を適宜選択可能である。
【００２６】
電子ペーパー１２３には、電子ペーパー式ベルト２２４（ベルト駆動体２２５）が駆動される前に、あるいは電子ペーパー式ベルト２２４（ベルト駆動体２２５）の駆動中に表示情報が描き替えられて、電子ペーパー表示器２２２の前面側（遊技者側）に表示されることとなる。この状態が、電子ペーパー１２３の「表示状態」となる。このとき、一旦表示状態に設定された電子ペーパー１２３は、当該表示を維持するのに通電を要さない。
一方、電子ペーパー１２３のうち表示情報が描き込まれていない部位を、電子ペーパー表示器２２２の前面側（遊技者側）に配置することによって、電子ペーパー１２３による表示状態が解除される。この状態が、電子ペーパー１２３の「待機状態」となる。
このような構成の電子ペーパー式ベルト２２４を用いた表示の切り替えは、第１実施の形態と同様に、「リーチ状態」や「大当たり遊技」のタイミングにおいて行うことができる。
【００２７】
以上のように、電子ペーパー式回転ドラム２２２や電子ペーパー式ベルト２２４を用いて表示装置２２０を構成する場合であっても、第１実施の形態の説明において記載した作用効果と同様の作用効果を奏する。
【００２８】
（他の実施の形態）
なお、本発明は上記実施の形態のみに限定されるものではなく、本実施の形態に基づいた種々の応用例や変更例を想到することができる。例えば、本実施の形態を応用した以下の形態を実施することもできる。
【００２９】
上記実施の形態では、電子ペーパー１２３を巻き取り式、回転ドラム式、回転ベルト式の駆動形態で駆動させる場合について記載したが、本発明では、別の駆動形態を用いることもできる。例えば、電子ペーパー１２３がスライドするスライド式の駆動形態を用いてもよい。
【００３０】
また、上記実施の形態では、液晶表示器１２１と電子ペーパー表示器１２２，２２２とを組み合わせた複合型の表示装置について記載したが、本発明では、液晶表示器１２１以外の種々の表示手段を電子ペーパー表示器１２２，２２２と組み合わせることが可能である。例えば、ＥＬ（エレクトロスミネッセンス）を用いた自発光式のＥＬ型表示器や、ドットＬＥＤのような表示器を、電子ペーパー表示器１２２，２２２と組み合わせることができる。
【００３１】
また、上記実施の形態では、「リーチ状態」や「大当たり遊技」のタイミングにおいて電子ペーパー１２３の表示の切り替えを行う場合について記載したが、本発明では、必要に応じて「リーチ状態」や「大当たり遊技」以外のタイミングにおいて電子ペーパー１２３の表示の切り替えを行うようにしてもよい。
【００３２】
また、上記実施の形態では、電子ペーパー１２３に表示されている遊技情報を、描き替えヘッド１２６を介して新たな遊技情報に描き替える場合について記載したが、本発明では、遊技情報が描き込まれていない、あるいは一旦描き込まれた遊技情報が消去された電子ペーパー１２３において、描き替えヘッド１２６と実質的に同様の構成の描き込みヘッドを介して新たな遊技情報が描き込まれる構成や、描き込みヘッドを介して遊技情報が描き加えられる（描き足される）構成を採用することができる。
【００３３】
また、上記実施の形態では、第１種パチンコ機であるパチンコ機１０１について記載したが、第２種パチンコ機や第３種パチンコ機の構成に本発明を適用することもできる。また、パチンコ機以外の遊技機、例えばスロットマシンの構成に本発明を適用することもできる。
【００３４】
また、本発明では、電子ペーパーとして以下に示す種々の方式のものを用いることができる。例えば、ツイスティングボール方式、マイクロカプセル型電気泳動方式、水平移動型電気泳動方式、電気析出溶解方式、光書き込み方式、可逆感熱方式、可逆感光方式、電子粉流体方式などの電子ペーパーを用いることができる。
なお、ツイスティングボール方式は、２枚の透明なプラスチックシート間に２色に塗り分けた帯電ビーズを散りばめ、この帯電ビーズに外部から印加電圧を付与する方式である。また、マイクロカプセル型電気泳動方式は、カプセル中に白黒の２種類の粒子を封入した球状のカプセルを透明の基板で挟み、当該基板に印加電圧を付与する方式である。また、水平移動型電気泳動方式は、帯電黒色粒子（トナー）に印加電圧を付与し、当該帯電黒色粒子を白色電極面ないし黒色電極面に吸着させる方式である。また、電気析出溶解方式は、透明電極と銀電極との間に電解質（二酸化チタン）を満たしこれらの電極に印加電圧を付与する方式である。また、光書き込み方式は、光スイッチ層を重ねた液晶に交流電圧を付与する方式である。また、可逆感熱方式は、感熱紙のように加熱によって発色するとともに、当該発色が急冷によっては維持され、徐冷によっては消色する材料を用いる方式である。また、可逆感光方式は、紫外線を当てると発色し、可視光の特定の波長の光を当てると消色する感光素材（フォトクロミック化合物）を用いる方式である。また、電子粉流体方式は、固体と液体の両方の性質を有する電子粉流体を液晶のかわりに用いる方式である。
【００３５】
また、上記実施の形態や種々の変更の形態に鑑み、本発明では以下の態様１〜態様６に記載の構成を採り得る。
【００３６】
（態様１）
本発明では、「表示装置を有する遊技機であって、
前記表示装置は、遊技に関与する遊技情報を描き替え表示可能な電子ペーパー式表示手段と、前記電子ペーパー式表示手段において遊技情報を描き替える描き替え手段と、前記電子ペーパー式表示手段を駆動制御可能な駆動制御手段とを備えていることを特徴とする遊技機。」という構成（態様１）を採り得る。
【００３７】
この態様１の遊技機では、表示手段が、電子ペーパー式表示手段、描き替え手段、駆動制御手段を用いて構成されるようになっている。電子ペーパー式表示手段は、遊技に関与する遊技情報を描き替え表示可能な機能を有する手段である。描き替え手段は、電子ペーパー式表示手段において遊技情報を描き替える機能を有する手段である。既に遊技情報が描き込まれている電子ペーパー式表示手段に対し描き替え手段が作用すると、電子ペーパー式表示手段に描き込まれている遊技情報が新たな遊技情報に描き替えられることとなる。駆動制御手段は、電子ペーパー式表示手段を駆動制御可能な機能を有する手段であり、請求項１に記載の駆動制御手段と同様の構成を有する。
態様１に記載のこのような構成によれば、請求項１に記載の表示装置を用いる場合と同様の作用効果を奏し、特には、電子ペーパー式表示手段を用いて遊技に関与する遊技情報を高頻度で表示させることができるため、情報を描き替え表示可能であるという電子ペーパー式表示手段の特徴が有効に利用されることとなる。
【００３８】
（態様２）
また、本発明では、「請求項１または態様１に記載の遊技機であって、
前記駆動制御手段は、前記電子ペーパー式表示手段の巻き出し及び巻き取りが可能な巻き取り手段を用いて構成されることを特徴とする遊技機。」という構成（態様２）を採り得る。
【００３９】
この態様２では、請求項１または態様１に記載の遊技機において、駆動制御手段が巻き取り手段を用いて構成されるようになっている。この巻き取り手段は、電子ペーパー式表示手段の巻き出し及び巻き取りが可能な機能を有する手段である。
本態様２に記載の遊技機のこのような構成によれば、柔軟性を有する電子ペーパーを巻き取り式とし、待機状態では電子ペーパー巻き取り手段に巻き取って収納することができ、表示手段のコンパクト化を図るのに有効である。このようなコンパクト化された表示手段は、液晶表示器のような表示手段と組み合わせて複合型の表示装置を構築する場合に、全体の大きさを抑えるのに有効である。また、巻き取り手段から巻き出された電子ペーパー式表示手段が液晶表示器の表示領域に重なり合う構成とすることで、表示に用いる表示領域全体の大きさが低減されることとなる。また、電子ペーパー式表示手段による表示が必要なときにのみ当該電子ペーパー式表示手段を電子ペーパー巻き取り手段から巻き出す構成とすることができ合理的である。
【００４０】
（態様３）
また、本発明では、「請求項１または態様１に記載の遊技機であって、
前記駆動制御手段は、前記電子ペーパー式表示手段がドラム外周に配置された回転ドラムを用いて構成されることを特徴とする遊技機。」という構成（態様３）を採り得る。
【００４１】
この態様３では、請求項１または態様１に記載の遊技機において、駆動制御手段が回転ドラムを用いて構成されるようになっている。この回転ドラムのドラム外周に電子ペーパー式表示手段の表示部分が配置されるようになっている。
本態様３に記載の遊技機のこのような構成によれば、電子ペーパー式表示手段に表示される遊技情報を描き込みないし描き替える一方、回転ドラムを駆動させて表示内容を切り替える構成の表示装置が構築される。
【００４２】
（態様４）
また、本発明では、「請求項１または態様１に記載の遊技機であって、
前記駆動制御手段は、前記電子ペーパー式表示手段が複数の駆動体外周に掛け渡された無端ベルト状に配置されたベルト駆動体を用いて構成されることを特徴とする遊技機。」という構成（態様４）を採り得る。
【００４３】
この態様４では、請求項１または態様１に記載の遊技機において、駆動制御手段がベルト駆動体を用いて構成されるようになっている。このベルト駆動体は、複数（２つ以上）設けられており、当該複数のベルト駆動体の外周に、電子ペーパー式表示手段が無端ベルト状に掛け渡されて配置されるようになっている。
本態様４に記載の遊技機のこのような構成によれば、電子ペーパー式表示手段において遊技情報を書き込む、あるいは遊技情報を描き替える一方、ベルト駆動体を駆動させて表示内容を切り替える構成の表示装置が構築される。
【００４４】
（態様５）
また、本発明では、「請求項１、態様１〜態様４のうちのいずれかに記載の遊技機であって、
前記表示装置は、前記電子ペーパー式表示手段に加えて前記電子ペーパー式表示手段とは別の第２の表示手段を備えた複合型の表示装置であることを特徴とする遊技機。」という構成（態様５）を採り得る。
【００４５】
この態様５では、請求項１、態様１〜態様４のうちのいずれかに記載の遊技機において、表示装置が、電子ペーパー式表示手段に加え、更に電子ペーパー式表示手段とは別の第２の表示手段を備えた複合型の表示装置となっている。すなわち、本態様５では、必要に応じ、電子ペーパー式表示手段に加えて電子ペーパー式表示手段以外の第２の表示手段を表示装置に適宜組み込むことができる。例えば、電子ペーパー式表示手段と液晶型の表示器やＥＬ型の表示器とを組み合わせて複合型の表示装置を構成することができる。
本態様５に記載の遊技機のこのような構成によれば、電子ペーパー式表示手段を別の表示手段と組み合わせることによって、表示可能な遊技情報量を増やすことができ、且つコンパクト化された複合型の表示装置が構築される。
【００４６】
（態様６）
また、本発明では、「態様５に記載の遊技機であって、
前記表示装置は、前記電子ペーパー式表示手段が、前記第２の表示手段の補助的な表示手段となる構成であることを特徴とする遊技機。」という構成（態様６）を採り得る。
【００４７】
この態様６では、態様５に記載の遊技機の表示装置において、電子ペーパー式表示手段を第２の表示手段の補助的な表示手段として用いる構成になっている。すなわち、本態様６の表示装置では、第２の表示手段がメイン（主）の表示器となり、電子ペーパー式表示手段が第２の表示手段に対しサブ（副）の表示器（補助的な表示手段）となる。具体的には、パチンコ機において、少なくとも大当たりやはずれの結果を表示する表示器をメインの表示器として用い、大当たりやはずれに至る過程の情報や、大当たりやはずれの結果以外の情報を表示する補助的な表示器として電子ペーパー式表示手段を用いる。もちろん、メインの表示器に、大当たりやはずれの結果に加えて、大当たりやはずれに至る過程の情報や、大当たりやはずれの結果以外の情報をもあわせて表示させることもできる。このような補助的な表示を行う電子ペーパー式表示手段は、メインの表示器に比して動作頻度が低く、動作の停止中において表示情報の描き込みないし描き替えが可能とされる。従って、電子ペーパー式表示手段の動作の停止中に情報を描き込みあるいは描き替え、その後の表示に備えることによって、電子ペーパー式表示手段における情報の描き込みないし描き替え速度が低い場合であっても対応可能である。
【図面の簡単な説明】
【００４８】
【図１】本発明の第１実施の形態のパチンコ機１０１の遊技盤１０３の全体構成を示す図である。
【図２】図１中の表示装置１２０の正面図である。
【図３】図２中のＡ−Ａ線断面矢視図である。
【図４】パチンコ機１０１の電装システムを示す図である。
【図５】第２実施の形態の表示装置２２０の正面図である。
【図６】図５中のＢ−Ｂ線断面矢視図であって、電子ペーパー式表示器２２１がドラム式である場合の構成を示す。
【図７】図５中のＢ−Ｂ線断面矢視図であって、電子ペーパー式表示器２２１がベルト式である場合の構成を示す。
【符号の説明】
【００４９】
１０１  パチンコ機
１０３  遊技盤
１０５  遊技領域
１１０  第１種始動口
１１２  開閉部材
１２０，２２０  表示装置
１２１  液晶表示器
１２２，２２２  電子ペーパー表示器
１２３  電子ペーパー
１２４  電子ペーパー巻き取り部
１２６  描き替えヘッド
１２７  スリット
１２８  電子ペーパーガイド
１２８ａ  ガイド空間
２２３  電子ペーパー式回転ドラム
２２４  電子ペーパー式ベルト
２２５  ベルト駆動体
【図１】
2005152373.tif 000003
【図２】
2005152373.tif 000004
【図３】
2005152373.tif 000005
【図４】
2005152373.tif 000006
【図５】
2005152373.tif 000007
【図６】
2005152373.tif 000008
【図７】
2005152373.tif 000009